(57)【要約】【課題】簡単な構成を有しながら、直列型充放電装置の各々の電圧検知部や電流検知部の評価を容易に行えるようにする評価用治具を提供する。【解決手段】直列型充放電装置CDにおける電流検知部CDd及びｎ個の電圧検知部AD1-ADnの評価に用いる評価用治具10,110は、負極電圧プローブPvn1-Pvnnを接続させるｎ個の疑似負極端子41-4nと、正極電圧プローブPvp1-Pvpnを接続させるｎ個の疑似正極端子31-3nと、負極電流接続子Ccnを接続させる疑似総負極端子2と、正極電流接続子Ccpを接続させる疑似総正極端子1と、疑似負極端子41-4n同士を導通する負極バスバ6と、疑似正極端子31-3n同士を導通する正極バスバ5と、疑似総負極端子2と疑似総正極端子1との間を接続する抵抗器7と、を備え、抵抗器7のうち疑似総負極端子2側の負側端7ntと負極バスバ6とが導通し、疑似総正極端子1側の正側端7ptと正極バスバ5とが導通してなる。【選択図】図４
2017201856.tif 000002
【特許請求の範囲】
【請求項１】
正極端子と負極端子とを有するｎ個（ｎは２以上の自然数)の二次電池を、互いに直列に接続した直列電池群について、
各々の上記二次電池の上記負極端子に負極電圧プローブを接続し、上記正極端子に正極電圧プローブを接続して、上記負極電圧プローブと上記正極電圧プローブを通じて、ｎ個の電圧検知部で各々の上記二次電池の端子間電圧を検知しつつ、
直列に接続されたすべての上記二次電池の上記負極端子のうち最も低電位とされた総負極端子に負極電流接続子を接続し、直列に接続されたすべての上記二次電池の上記正極端子のうち最も高電位とされた総正極端子に正極電流接続子を接続して、電源部から、上記総負極端子と上記総正極端子とを通じて、すべての上記二次電池に充放電電流を流し、かつ、
上記電源部が流す上記充放電電流の電流値を電流検知部で検知する
直列型充放電装置における、上記電流検知部及びｎ個の上記電圧検知部の評価に用いる評価用治具であって、
各々の上記負極電圧プローブを接続させるｎ個の疑似負極端子と、
各々の上記正極電圧プローブを接続させるｎ個の疑似正極端子と、
上記負極電流接続子を接続させる疑似総負極端子と、
上記正極電流接続子を接続させる疑似総正極端子と、
ｎ個の上記疑似負極端子同士を導通する負極バスバと、
ｎ個の上記疑似正極端子同士を導通する正極バスバと、
上記疑似総負極端子と上記疑似総正極端子との間を接続する抵抗器と、を備え、
上記抵抗器のうち上記疑似総負極端子側の負側端と上記負極バスバとが導通し、
上記抵抗器のうち上記疑似総正極端子側の正側端と上記正極バスバとが導通してなる
直列型充放電装置の評価用治具。
【発明の詳細な説明】
【技術分野】
【０００１】
本発明は、複数の二次電池を互いに直列に接続した直列電池群について充放電を行う直列型充放電装置のうち、各二次電池の端子間電圧を検知する電圧検知部及び充放電で流す充放電電流を検知する電流検知部の評価を行うのに適した評価用治具に関する。
【背景技術】
【０００２】
リチウムイオン二次電池などの二次電池（以下、単に電池とも言う）を、出荷前、使用中の点検時、あるいは使用後の再利用前などに、充放電装置に接続し充放電して、電池の端子間電圧の値や変化を検知したい場合がある。また、複数の二次電池を互いに直列接続した電池モジュールを構成し、これを出荷前あるいは使用中の点検時などに、充放電装置に接続し充放電して、各電池の端子間電圧の値やその変化を検知したい場合もある。
【０００３】
このような電池や電池モジュールの充放電に用いる充放電装置については、充放電装置をなす部品の経時劣化、故障等のおそれがあるので、適時、電圧検知部で検知する電池の端子間電圧が正確であるか否かを評価することが求められる。また、充放電装置で充放電する電流の大きさを検知する電流検知部についても、この電流検知部で検知する電流値が正確であるか否かを評価することが求められる。
【０００４】
このために、電圧検知部や電流検知部の評価に当たり、二次電池や電池モジュールに代えて、例えば、特許文献１に開示されている校正機ユニットのような評価用の治具を用いることが知られている。
この特許文献１では、充放電装置で試験する二次電池に代えて、充放電装置に接続する校正機ユニットとして、計測部と、無線通信子機と、ユニット用二次電池とを有するものが示されている。
【先行技術文献】
【特許文献】
【０００５】
【特許文献１】特開２０１３−１４８４５９号公報
【発明の概要】
【発明が解決しようとする課題】
【０００６】
しかしながら、複数の二次電池を直列に接続して充放電する充放電装置について、特許文献１に記載の校正機ユニットを用いるには、充放電装置で試験する二次電池と同数の校正機ユニットを用意する必要があり、全体として構成が複雑になる。
【０００７】
本発明は、かかる問題点に鑑みてなされたものであって、簡単な構成を有しながら、直列型充放電装置の各々の電圧検知部や電流検知部の評価を容易に行えるようにする、直列型充放電装置の評価用治具を提供するものである。
【課題を解決するための手段】
【０００８】
上記課題を解決するための本発明の一態様は、正極端子と負極端子とを有するｎ個（ｎは２以上の自然数)の二次電池を、互いに直列に接続した直列電池群について、各々の上記二次電池の上記負極端子に負極電圧プローブを接続し、上記正極端子に正極電圧プローブを接続して、上記負極電圧プローブと上記正極電圧プローブを通じて、ｎ個の電圧検知部で各々の上記二次電池の端子間電圧を検知しつつ、直列に接続されたすべての上記二次電池の上記負極端子のうち最も低電位とされた総負極端子に負極電流接続子を接続し、直列に接続されたすべての上記二次電池の上記正極端子のうち最も高電位とされた総正極端子に正極電流接続子を接続して、電源部から、上記総負極端子と上記総正極端子とを通じて、すべての上記二次電池に充放電電流を流し、かつ、上記電源部が流す上記充放電電流の電流値を電流検知部で検知する直列型充放電装置における、上記電流検知部及びｎ個の上記電圧検知部の評価に用いる評価用治具であって、各々の上記負極電圧プローブを接続させるｎ個の疑似負極端子と、各々の上記正極電圧プローブを接続させるｎ個の疑似正極端子と、上記負極電流接続子を接続させる疑似総負極端子と、上記正極電流接続子を接続させる疑似総正極端子と、ｎ個の上記疑似負極端子同士を導通する負極バスバと、ｎ個の上記疑似正極端子同士を導通する正極バスバと、上記疑似総負極端子と上記疑似総正極端子との間を接続する抵抗器と、を備え、上記抵抗器のうち上記疑似総負極端子側の負側端と上記負極バスバとが導通し、上記抵抗器のうち上記疑似総正極端子側の正側端と上記正極バスバとが導通してなる直列型充放電装置の評価用治具である。
【０００９】
この評価用治具は、以下のようにして使用する。まず、充放電装置に、直列電池群に代えて、この評価用治具を接続する。具体的には、ｎ個の疑似負極端子に負極電圧プローブを接続させ、ｎ個の疑似正極端子に正極電圧プローブを接続させ、疑似総負極端子に負極電流接続子を接続させ、疑似総正極端子に正極電流接続子を接続させる。そしてこの評価用治具を接続した充放電装置において、正極電流接続子と負極電流接続子との間、従って、疑似総負極端子と疑似総正極端子との間の抵抗器に電流を流す。
すると、抵抗器の両端に生じた電圧降下（抵抗器の負側端と正側端の間の端子間電圧）が、負極バスバと正極バスバとの間にも生じるので、疑似負極端子及び負極電圧プローブと疑似正極端子及び正極電圧プローブとを通じて、上述の抵抗器の端子間電圧を、充放電装置のｎ個の電圧検知部が、それぞれ二次電池の端子間電圧として検知できる。
【００１０】
そこで、負極バスバと正極バスバとの間の電圧（抵抗器の両端に生じた端子間電圧）を、別途、電圧検知部よりも高精度のデジタル電圧計などで構成される高精度電圧検知部で検知する。高精度電圧検知部で検知した抵抗器の端子間電圧（高精度電圧値）と、ｎ個の電圧検知部でそれぞれ検知した端子間電圧の電圧値とは、同じ抵抗器の端子間電圧を検知したものであるから、高精度電圧値と、電圧検知部でそれぞれ検知した端子間電圧の電圧値とを比較すれば、当該電圧検知部が、二次電池の端子間電圧を正しく検知しているか否かを評価することができる。
具体的には、例えば、高精度電圧値を基準とした、各電圧検知部が検知する端子間電圧の電圧値のズレが、いずれも許容範囲内に収まっているかどうかの判定により、電圧検知部の良否の評価を行うことができる。
【００１１】
加えて、高精度電圧値を抵抗器の抵抗値で除した値が、抵抗器を流れる電流の高精度電流値となるから、これを基準として、充放電装置の電流検知部が、電源部が流している充放電電流の電流値を正しく検知できているか否かを評価することができる。具体的には、例えば、基準とする高精度電流値と電流検知部で検知する電流値とのズレが、許容範囲内に収まっているかどうかの判定により、電流検知部の良否の評価を行うことができる。
このように、上述の評価用治具は、簡単な構成を有しながら、直列型充放電装置の各々の電圧検知部や電流検知部の評価を容易に行えるようにできる。
【００１２】
なお、各電圧検知部で検知した各端子間電圧の電圧値と基準となる高精度電圧値とのズレが、いずれも許容範囲を超えていない場合には、引き続きこの直列型充放電装置を用いて、直列電池群を接続して充放電を行えば良い。一方、いずれかの端子間電圧の電圧値と高精度電圧値とのズレが許容範囲を超えていた場合には、直列型充放電装置の使用を停止したり、各電圧検知部の校正を行うなどの処理を行うと良い。
また、電流検知部で検知した電流値と基準となる高精度電流値とのズレが、許容範囲を超えていない場合には、引き続きこの直列型充放電装置を用いて、直列電池群を接続して充放電を行うと良い。一方、電流検知部で検知した電流値と基準となる高精度電流値とのズレが、許容範囲を超えていた場合には、直列型充放電装置の使用を停止したり、電流検知部の校正を行うなどの処理を行うと良い。
【００１３】
直列型充放電装置で充放電する直列電池群としては、既に直列接続されたｎ個の二次電池からなる電池モジュールが挙げられる。このほか、互いに接続されていない（独立した）ｎ個の二次電池を、直列型充放電装置で一斉に充放電するべく、直列型充放電装置が別途備える直列接続具（一の二次電池の負極端子と他の二次電池の正極端子とをそれぞれ導通して、これらを直列に接続する接続具）を用いて、互いに直列接続した電池群も挙げられる。
また、抵抗器の負側端と負極バスバとの導通形態としては、別途設けた負側導通路で両者を接続して導通する形態や、負極バスバの一部が抵抗器の負側端に接続して導通する形態、負極バスバの一部が疑似総負極端子に接続して導通する形態が挙げられる。
同様に、抵抗器の正側端と正極バスバとの導通形態としては、別途設けた正側導通路で両者を接続して導通する形態や、正極バスバの一部が抵抗器の正側端に接続して導通する形態、正極バスバの一部が疑似総正極端子に接続して導通する形態が挙げられる。
【００１４】
上述の直列型充放電装置の評価用治具と、上記直列型充放電装置の前記電圧検知部よりも高精度で、前記負極バスバと前記正極バスバとの間の電圧を検知する高精度電圧検知部と、を備える直列型充放電装置の評価用装置とするのも好ましい。
【００１５】
この評価用装置は、前述の評価用治具のほか、高精度電圧検知部を備えるので、これを直列型充放電装置に接続することで、直列型充放電装置の各電圧検知部及び電流検知部の評価を容易に行うことができる。
【００１６】
あるいは、正極端子と負極端子とを有するｎ個（ｎは２以上の自然数)の二次電池を、互いに直列に接続した直列電池群について、各々の上記二次電池の上記負極端子に負極電圧プローブを接続し、上記正極端子に正極電圧プローブを接続して、上記負極電圧プローブと上記正極電圧プローブを通じて、ｎ個の電圧検知部で各々の上記二次電池の端子間電圧を検知しつつ、直列に接続されたすべての上記二次電池の上記負極端子のうち最も低電位とされた総負極端子に負極電流接続子を接続し、直列に接続されたすべての上記二次電池の上記正極端子のうち最も高電位とされた総正極端子に正極電流接続子を接続して、電源部から、上記総負極端子と上記総正極端子とを通じて、すべての上記二次電池に充放電電流を流し、かつ、上記電源部が流す充放電電流の電流値を電流検知部で検知する直列型充放電装置における、上記電流検知部及びｎ個の上記電圧検知部の評価を行う評価システムであって、各々の上記負極電圧プローブを接続させるｎ個の疑似負極端子と、各々の上記正極電圧プローブを接続させるｎ個の疑似正極端子と、上記負極電流接続子を接続させる疑似総負極端子と、上記正極電流接続子を接続させる疑似総正極端子と、ｎ個の上記疑似負極端子同士を導通する負極バスバと、ｎ個の上記疑似正極端子同士を導通する正極バスバと、上記疑似総負極端子と上記疑似総正極端子との間を接続する抵抗器と、を備え、上記抵抗器のうち上記疑似総負極端子側の負側端と上記負極バスバとが導通し、上記抵抗器のうち上記疑似総正極端子側の正側端と上記正極バスバとを導通してなる評価用治具、及び、上記直列型充放電装置の上記電圧検知部よりも高精度に、上記負極バスバと上記正極バスバとの間の電圧を検知する高精度電圧検知部、を備え、上記直列型充放電装置は、ｎ個の上記電圧検知部でｎ個の上記電圧値をそれぞれ取得する第１取得部と、上記高精度電圧検知部の検知した高精度電圧値を取得する第２取得部と、取得した上記高精度電圧値と、ｎ個の上記電圧検知部でそれぞれ検知した電圧値とから、ｎ個の上記電圧検知部を評価する第１評価部と、取得した上記高精度電圧値を上記抵抗器の抵抗値で除した高精度電流値と、上記電流検知部で検知した電流値とから、上記電流検知部を評価する第２評価部と、を有する評価システムとするのも好ましい。
【００１７】
この評価システムでは、直列電池群の代わりに、この評価用治具を直列型充放電装置に接続する。具体的には、ｎ個の疑似負極端子に負極電圧プローブを接続させ、ｎ個の疑似正極端子に正極電圧プローブを接続させ、疑似総負極端子に負極電流接続子を接続させ、疑似総正極端子に正極電流接続子を接続させる。その上で、評価用治具を接続した充放電装置において、正極電流接続子と負極電流接続子との間、従って、疑似総負極端子と疑似総正極端子との間の抵抗器に電流を流す。
すると、抵抗器の両端に生じた電圧降下（抵抗器の負側端と正側端の間の端子間電圧）が、負極バスバと正極バスバとの間にも生じるので、疑似負極端子及び負極電圧プローブと疑似正極端子と正極電圧プローブとを通じて、充放電装置のｎ個の電圧検知部で、各二次電池の端子間電圧として検知できる。
【００１８】
そこで、負極バスバと正極バスバとの間の電圧（抵抗器の両端に生じた端子間電圧）を、高精度電圧検知部で検知し、この抵抗器の端子間電圧（高精度電圧値）と、ｎ個の電圧検知部で検知した端子間電圧の電圧値とを、それぞれ比較すれば、直列型充放電装置の各電圧検知部が二次電池の端子間電圧を正しく検知できているか否かを評価することができる。
具体的には、例えば、高精度電圧値を基準とした、各電圧検知部が検知する端子間電圧の電圧値のズレが、いずれも許容範囲内に収まっているかどうかの電圧検知部の良否の評価を行うことができる。
加えて、高精度電圧値を抵抗器の抵抗値で除した値が、抵抗器を流れる電流の高精度電流値であるから、これを基準として、充放電装置の電流検知部が、電源部が流している充放電電流の電流値を正しく検知できているか否かを評価することができる。具体的には、例えば、基準とする高精度電流値と電流検知部で検知する電流値とのズレが、許容範囲内に収まっているかどうかの電流検知部の良否の評価を行うことができる。
【００１９】
このように、この評価システムでは、簡単な構成の評価用治具と高精度電圧計とを用いながらも、直列型充放電装置の電圧検知部及び電流検知部の評価を容易に行うことができる。
【図面の簡単な説明】
【００２０】
【図１】実施形態に係り、直列型充放電装置で充放電する電池モジュールの回路構成を示す説明図である。
【図２】実施形態に係り、図１に示す電池モジュールに直列型充放電装置を接続した状態における回路構成を示す説明図である。
【図３】実施形態に係る評価用治具の回路構成を示す説明図である。
【図４】実施形態に係り、高精度電圧計及び図３に示す評価用治具からなる評価用装置に直列型充放電装置を接続した評価システムの回路構成を示す説明図である。
【図５】実施形態に係り、直列型充放電装置を用いた電池モジュールの充放電と直列型充放電装置の評価の手順を示すフローチャートである。
【図６】実施形態に係り、図５に記載のフローチャートのうち、直列型充放電装置の評価の手順を示すフローチャートである。
【図７】変形形態に係る評価用治具の回路構成を示す説明図である。
【発明を実施するための形態】
【００２１】
（実施形態）
本発明の実施の形態を、図１〜図６を参照して説明する。まず、直列型充放電装置ＣＤ（後述する）によって充放電する電池モジュールＢＭについて説明する（図１参照）。電池モジュールＢＭは、複数（本実施形態では、ｎ個。ｎは２以上の自然数である。）の電池Ｂ１〜Ｂｎを並べて、全体を一体に拘束してモジュール化したものである。なお、各電池Ｂ１〜Ｂｎは、互いに接続されていない。また、この電池モジュールＢＭには、電池モジュール同士及び後述する評価用治具１０を識別するべく、識別コードＢＭｓを示す二次元バーコードなどの識別コード部ＢＭｃが所定位置に設けられている。
【００２２】
この電池モジュールＢＭをなすｎ個の電池Ｂ１〜Ｂｎは、いずれも同じリチウムイオン二次電池であり、電池電流を外部に取り出すための正極電流端子（正極端子）Ｂｐｉ１〜Ｂｐｉｎ、及び、負極電流端子（負極端子）Ｂｎｉ１〜Ｂｎｉｎをそれぞれ有している。また、各電池Ｂ１〜Ｂｎは、後述する正極電圧プローブＰｖｐ１等及び負極電圧プローブＰｖｎ１等を接触させて端子間電圧Ｖｔ１〜Ｖｔｎを測定するための部位として、正極電圧端子Ｂｐｖ１〜Ｂｐｖｎ、及び、負極電圧端子Ｂｎｖ１〜Ｂｎｖｎを有している。各電池Ｂ１等においては、正極電流端子Ｂｐｉ１等と正極電圧端子Ｂｐｖ１等とは、それぞれ導通している。また、負極電流端子Ｂｎｉ１等と負極電圧端子Ｂｎｖ１等とは、それぞれ導通している。
【００２３】
次に、この電池モジュールＢＭの各電池Ｂ１〜Ｂｎを充放電させる直列型充放電装置ＣＤについて説明する（図２参照）。直列型充放電装置ＣＤは、所定位置に配置された電池モジュールＢＭに、ケーブルやプローブ等を接続して、充放電電流Ｉｃｄの電流値、及び、各電池Ｂ１〜Ｂｎの端子間電圧Ｖｔ１〜Ｖｔｎを検知しつつ、各電池Ｂ１〜Ｂｎを充放電する装置である。さらに詳しくは、この直列型充放電装置ＣＤは、バスＣＤｂに接続されたプロセッサＣＤｃ、プログラム等を記憶したＲＯＭＣＤａ、及び各種の値等を記憶するＲＡＭＣＤｏを有する。このほか、後述するように直列に接続した電池Ｂ１〜Ｂｎを充放電させる電源部ＣＤｐ、この電源部ＣＤｐから出力される直流の充放電電流Ｉｃｄの電流値を検知する電流検知部ＣＤｄを有する。また、ｎ個の電池Ｂ１〜Ｂｎの端子間電圧Ｖｔ１〜Ｖｔｎをそれぞれ検知するｎ個の電圧検知部ＡＤ１〜ＡＤｎ、コード読取装置ＲＤの出力を入力するコード入力部ＣＤｒを備えている。加えて、本実施形態の直列型充放電装置ＣＤは、高精度電圧計ＤＭからの出力（高精度電圧値Ｖｈ）が入力される電圧入力部ＣＤｔも備えている。
電源部ＣＤｐ、電流検知部ＣＤｄ、電圧検知部ＡＤ１〜ＡＤｎ、電圧入力部ＣＤｔ、及び、コード入力部ＣＤｒはいずれも、バスＣＤｂに接続しており、このバスＣＤｂを通じて、プロセッサＣＤｃによって制御される。
【００２４】
さらに、直列型充放電装置ＣＤのうち電源部ＣＤｐからは、正極ケーブルＣｃｐ及び負極ケーブルＣｃｎが延びている。また、各電圧検知部ＡＤ１〜ＡＤｎからは、正極電圧プローブＰｖｐ１〜Ｐｖｐｎ及び負極電圧プローブＰｖｎ１〜Ｐｖｎｎが延びている。加えて、直列型充放電装置ＣＤは、ｎ−１個の直列接続具Ｃｎ１〜Ｃｎｎ−１をも有する。
【００２５】
直列型充放電装置ＣＤは、電池モジュールＢＭを所定位置に配置すると、これを検知して、図示しない機構により、電池モジュールＢＭを所定処理位置に移動させる。その上で、直列接続具Ｃｎ１〜Ｃｎｎ−１を、電池モジュールＢＭの電池Ｂ１〜Ｂｎに接続させる。具体的には、直列接続具Ｃｎ１を電池Ｂ１の負極電流端子Ｂｎｉ１と電池Ｂ２の正極電流端子Ｂｐｉ２とに接続させて、これらを導通させる。同様に、直列接続具Ｃｎ１を電池Ｂ２の負極電流端子Ｂｎｉ２と電池Ｂ３の正極電流端子Ｂｐｉ３とに接続させて、これらを導通させる。このようにして、ｎ個の電池Ｂ１〜Ｂｎを、ｎ−１個の直列接続具Ｃｎ１〜Ｃｎｎ−１によって直列に接続する。これにより、ｎ個の電池Ｂ１〜Ｂｎのうち、電池Ｂ１は最も高電位の電池となり、電池Ｂｎは最も低電位の電池となる。また、電池Ｂ１の正極電流端子Ｂｐｉ１は、直列接続されたｎ個の電池Ｂ１〜Ｂｎ（電池モジュールＢＭ）全体の正極端子となり、正極電流端子Ｂｐｉ１〜Ｂｐｉｎのうち最も高電位とされる。そこで以下では、この正極電流端子Ｂｐｉ１を、総正極端子Ｂｐｉ１ともいう。また、電池Ｂｎの負極電流端子Ｂｎｉｎは、直列接続されたｎ個の電池Ｂ１〜Ｂｎ（電池モジュールＢＭ）全体の負極端子となり、負極電流端子Ｂｎｉ１〜Ｂｎｉｎのうち最も低電位とされる。そこで以下では、この負極電流端子Ｂｎｉｎを、総負極端子Ｂｎｉｎともいう。
【００２６】
また、直列型充放電装置ＣＤは、正極ケーブルＣｃｐを総正極端子Ｂｐｉ１に接続させ、負極ケーブルＣｃｎを総負極端子Ｂｎｉｎに接続させる。
これにより、直列型充放電装置ＣＤの電源部ＣＤｐから、正極ケーブルＣｃｐ及び負極ケーブルＣｃｎを通じて、直列接続されたｎ個の電池Ｂ１〜Ｂｎ（電池モジュールＢＭ）に、充放電電流Ｉｃｄを流すことが可能になる。
なお、各電池Ｂ１等を直列接続しているので、各電池Ｂ１〜Ｂｎには、同量の電気量（電荷）が充電あるいは放電される。また、前述したように、電源部ＣＤｐから各電池Ｂ１等に流す充放電電流Ｉｃｄの電流値は、電流検知部ＣＤｄで検知され、バスＣＤｂを通じて、プロセッサＣＤｃに送られ処理される。本実施形態では、電流検知部ＣＤｄにおいて、１６ビットのＡ／Ｄコンバータを用いて、電流値を得ている。
【００２７】
さらに、直列型充放電装置ＣＤは、正極電圧プローブＰｖｐ１〜Ｐｖｐｎを、それぞれ、各電池Ｂ１〜Ｂｎの正極電圧端子Ｂｐｖ１〜Ｂｐｖｎに接触させる。また、負極電圧プローブＰｖｎ１〜Ｐｖｎｎを、それぞれ各電池Ｂ１〜Ｂｎの負極電圧端子Ｂｎｖ１〜Ｂｎｖｎに接触させる。
これにより、直列型充放電装置ＣＤの電圧検知部ＡＤ１〜ＡＤｎは、正極電圧プローブＰｖｐ１〜Ｐｖｐｎ及び負極電圧プローブＰｖｎ１〜Ｐｖｎｎを介して、電池Ｂ１〜Ｂｎの端子間電圧Ｖｔ１〜Ｖｔｎを、それぞれ検知可能となる。端子間電圧Ｖｔ１〜Ｖｔｎは、バスＣＤｂを通じて、プロセッサＣＤｃに送られ処理される。本実施形態においては、電圧検知部ＡＤ１〜ＡＤｎには、１６ビットのＡ／Ｄコンバータが用いられている。
【００２８】
また、コード入力部ＣＤｒには、前述したように、コード読取装置ＲＤの出力が入力される。コード読取装置ＲＤは、電池モジュールＢＭの所定位置に設けた識別コード部ＢＭｃを読み取り、読み取った識別コードＢＭｓをコード入力部ＣＤｒに向けて出力する。コード入力部ＣＤｒは、取得した識別コードＢＭｓを、バスＣＤｂを通じて、プロセッサＣＤｃに送る。これにより、直列型充放電装置ＣＤ（プロセッサＣＤｃ）は、所定位置に配置された電池モジュールＢＭを、識別コードＢＭｓによって識別することが可能となる。
【００２９】
かくして、この直列型充放電装置ＣＤでは、所定位置に電池モジュールＢＭを配置すると、コード読取装置ＲＤからコード入力部ＣＤｒに入力された識別コードＢＭｓを用いて、電池モジュールＢＭを識別する。また、電池モジュールＢＭに、直列接続具Ｃｎ１等、正極ケーブルＣｃｐ及び負極ケーブルＣｃｎを接続させ、正極電圧プローブＰｖｐ１等及び負極電圧プローブＰｖｎ１等を接触させる。その上で、電源部ＣＤｐから充放電電流Ｉｃｄを流して、各電池Ｂ１等を直列充放電する。そして、電流検知部ＣＤｄで検知した充放電電流Ｉｃｄの電流値、及び、電圧検知部ＡＤ１〜ＡＤｎで検知した端子間電圧Ｖｔ１〜Ｖｔｎを用いて、各電池Ｂ１等の短絡の有無や、充放電特性の良否等の検査を行う。
【００３０】
加えて、電圧入力部ＣＤｔには、前述したように、高精度電圧計ＤＭからの出力（高精度電圧値Ｖｈ）が入力される。高精度電圧計ＤＭは、直列型充放電装置ＣＤとは別に設けられた電圧計であり、本実施形態では、図２に示すように、接続線ＤＭｐ，ＤＭｎによって、直列型充放電装置ＣＤの電圧検知部ＡＤｎと並列に接続され、電池Ｂｎの端子間電圧Ｖｔｎを測定可能になっている。本実施形態においては、高精度電圧計ＤＭとして、デジタルマルチメータを用いている。この高精度電圧計ＤＭは、８-1/2桁の分解能を有しており、上述の直列型充放電装置ＣＤの電圧検知部ＡＤ１〜ＡＤｎに比して、高精度に電圧測定が可能となっている。この高精度電圧計ＤＭは、測定した電圧（電池Ｂｎの端子間電圧Ｖｔｎ）を、高精度電圧値Ｖｈとして、電圧入力部ＣＤｔに向けて出力する。電圧入力部ＣＤｔは、取得した高精度電圧値Ｖｈを、バスＣＤｂを通じて、プロセッサＣＤｃに送る。
但し、本実施形態の直列型充放電装置ＣＤは、高精度電圧計ＤＭで検知した端子間電圧Ｖｔｎに対応する高精度電圧値Ｖｈを、利用しない。
【００３１】
次いで、本実施形態に係る評価用治具１０について説明する（図３参照）。この評価用治具１０は、外形が電池モジュールＢＭ（図１参照）と同一にされており、この評価用治具１０を、電池モジュールＢＭに代えて、所定位置に配置しても、直列型充放電装置ＣＤを動作させ得る。また、電池モジュールＢＭの識別コード部ＢＭｃと同位置に、この評価用治具１０を識別する識別コード１０ｃｄが表示された識別コード部１０ａが設けられている。
【００３２】
また評価用治具１０には、電池モジュールＢＭの総正極端子（正極電流端子）Ｂｐｉ１と同位置に、同形状の疑似総正極端子１が、また、総負極端子（負極電流端子）Ｂｎｉｎと同位置に、同形状の疑似総負極端子２が設けられている。さらに、電池モジュールＢＭの正極電圧端子Ｂｐｖ１〜Ｂｐｖｎ及び負極電圧端子Ｂｎｖ１〜Ｂｎｖｎと同位置に、同形状の疑似正極電圧端子３１〜３ｎ及び疑似負極電圧端子４１〜４ｎが設けられている。
なお、本実施形態の評価用治具１０には、電池モジュールＢＭの正極電流端子Ｂｐｉ２〜Ｂｐｉｎ及び負極電流端子Ｂｎｉ１〜Ｂｎｉｎ−１に対応する部材は設けられていない。また、疑似総正極端子１と疑似正極電圧端子３１とは、導通していない。疑似総負極端子２と疑似負極電圧端子４ｎとは、導通していない。
【００３３】
一方、評価用治具１０には、疑似正極電圧端子３１〜３ｎを相互に導通する正極バスバ５、及び、疑似負極電圧端子４１〜４ｎを相互に導通する負極バスバ６が設けられている。さらに、疑似総正極端子１と疑似総負極端子２との間を接続する抵抗器７も設けられている。この抵抗器７の抵抗値はＲｇである。また、抵抗器７の疑似総正極端子１側（図３中、上方）の正側端７ｐｔは、正極導通路８ｐを介して、正極バスバ５に導通している。また、抵抗器７の疑似総負極端子２側（図３中、下方）の負側端７ｎｔは、負極導通路８ｎを介して、負極バスバ６に導通している。
なお、抵抗器７は、高精度シャント抵抗器(抵抗値１００ｍΩ)である。
【００３４】
次いで、直列型充放電装置ＣＤを用いた電池モジュールＢＭ（電池Ｂ１等）の充放電、及び、評価用治具１０及び高精度電圧計ＤＭとからなる評価用装置２０を用いた直列型充放電装置ＣＤの評価システム１００と、その処理手順について、図４〜図６を参照して説明する。
直列型充放電装置ＣＤは、電池モジュールＢＭあるいは評価用治具１０を所定位置に配置すると、これを検知して、図示しない機構により電池モジュールＢＭを所定処理位置に移動させる。その上で、コード読取装置ＲＤからコード入力部ＣＤｒに入力される識別コードＢＭｓ，１０ｃｄを検知する（ステップＳ１，図５参照）。
【００３５】
続くステップＳ２では、検知した識別コードが、評価用治具１０の識別コード１０ｃｄであるか否かを判断する。ここで、Ｎｏ、即ち、検知した識別コードが電池モジュールＢＭの識別コードＢＭｓであった場合には、ステップＳ３に進み、電池モジュールＢＭについて、直列充放電を行う。
【００３６】
具体的には、まず、電池モジュールＢＭ（電池Ｂ１等）に、正極ケーブルＣｃｐ、負極ケーブルＣｃｎ、直列接続具Ｃｎ１等、正極電圧プローブＰｖｐ１等、及び負極電圧プローブＰｖｎ１等を、電池モジュールＢＭに接続、接触させる（図２参照）。
次いで、予め定めた手順に従って、電源部ＣＤｐにより各電池Ｂ１等の直列充放電を行って、各時点での充放電電流値Ｉｃｄ及び端子間電圧Ｖｔ１〜Ｖｔｎを電流検知部ＣＤｄ及び電圧検知部ＡＤ１等で検知して、各電池Ｂ１等の短絡の有無を判断や、充放電特性の良否の判断を行う。
終了後には、電池モジュールＢＭに接続した正極ケーブルＣｃｐ、負極ケーブルＣｃｎ、直列接続具Ｃｎ１等、正極電圧プローブＰｖｐ１等、及び負極電圧プローブＰｖｎ１等を取り外し、充放電を終了した電池モジュールＢＭを所定処理位置から排出する。操作者が、新たな電池モジュールＢＭあるいは評価用治具１０を所定位置に配置すると、直列型充放電装置ＣＤは、再び、ステップＳ１以降の処理を繰り返す。
【００３７】
一方、ステップＳ２においてＹｅｓ、即ち、検知した識別コードが評価用治具１０の識別コード１０ｃｄであった場合には、ステップＳ４に進み、直列型充放電装置ＣＤ自身の評価を行う。具体的には、図６に示すように、まずステップＳ４１において、正極ケーブルＣｃｐを評価用治具１０の疑似総正極端子１に接続させ、負極ケーブルＣｃｎを疑似総負極端子２に接続させる。これにより、直列型充放電装置ＣＤの電源部ＣＤｐから、正極ケーブルＣｃｐ及び負極ケーブルＣｃｎを通じて、抵抗器７に、充放電電流Ｉｃｄを流すことが可能になる。
【００３８】
さらに、直列型充放電装置ＣＤは、正極電圧プローブＰｖｐ１〜Ｐｖｐｎを、それぞれ、評価用治具１０の疑似正極電圧端子３１〜３ｎに接触させる。また、負極電圧プローブＰｖｎ１〜Ｐｖｎｎを、それぞれ疑似負極電圧端子４１〜４ｎに接触させる。これにより、直列型充放電装置ＣＤの各電圧検知部ＡＤ１〜ＡＤｎは、正極電圧プローブＰｖｐ１〜Ｐｖｐｎ及び負極電圧プローブＰｖｎ１〜Ｐｖｎｎを介して、正極バスバ５と負極バスバ６との間の電圧を検知可能となる。即ち、各電圧検知部ＡＤ１〜ＡＤｎは、いずれも、抵抗器７の正側端７ｐｔと負側端７ｎｔとの間の端子間電圧（電圧降下）Ｖｒを、端子間電圧Ｖｔ１〜Ｖｔｎとして検知する。
なお、電池モジュールＢＭの場合には用いた直列接続具Ｃｎ１〜Ｃｎｎ−１は、評価用治具１０には用いない。
【００３９】
次いで、ステップＳ４２において、直列型充放電装置ＣＤは、電源部ＣＤｐから、正極ケーブルＣｃｐ及び負極ケーブルＣｃｎを通じて、抵抗器７に、予め定めた一定の充放電電流Ｉｃｄ（例えば、５Ｃの充電電流）を流す。
【００４０】
さらに、ステップＳ４３で、直列型充放電装置ＣＤの各電圧検知部ＡＤ１〜ＡＤｎにより、端子間電圧Ｖｔ１〜Ｖｔｎを検知する。上述したように、端子間電圧Ｖｔ１〜Ｖｔｎとして、いずれも共通して、抵抗器７の端子間電圧Ｖｒが検知される。
【００４１】
次いで、ステップＳ４４では、高精度電圧計ＤＭで検知した高精度電圧値Ｖｈを、電圧入力部ＣＤｔを介して取得する。この高精度電圧値Ｖｈも、抵抗器７の端子間電圧Ｖｒを検知した値である。
【００４２】
ステップＳ４５では、電源部ＣＤｐから流している充放電電流Ｉｃｄの電流値を、電流検知部ＣＤｄで検知する。
【００４３】
上述したように、端子間電圧Ｖｔ１〜Ｖｔｎも高精度電圧値Ｖｈも、抵抗器７の端子間電圧Ｖｒを測定した値であるから、本来は一致するはずである。しかしながら、電圧検知部ＡＤ１〜ＡＤｎなどの経時劣化や故障などによって、端子間電圧Ｖｔ１〜Ｖｔｎを正確に検知できない状態となる場合がありうる。
そこで、ステップＳ４６では、電圧検知部ＡＤ１〜ＡＤｎで検知した端子間電圧Ｖｔ１〜Ｖｔｎと、高精度電圧計ＤＭで検知した高精度電圧値Ｖｈとをそれぞれ比較して、各電圧検知部ＡＤ１〜ＡＤｎの評価を行う。本実施形態では、高精度電圧値Ｖｈと端子間電圧Ｖｔ１〜Ｖｔｎとの差が、所定の範囲内（例えば、５ｍＶ以内）であればＯＫと評価する。一方、範囲外であれば不良と評価する。
【００４４】
電流検知部ＣＤｄについても、経時劣化や故障などによって、充放電電流値Ｉｃｄを正確に検知できない状態となる場合がありうる。
そこで、ステップＳ４７では、電流検知部ＣＤｄで検知した充放電電流値Ｉｃｄと、高精度電圧値Ｖｈを抵抗器７の抵抗値Ｒｇで除した電流値Ｖｈ／Ｒｇとを比較して、電流検知部ＣＤｄの評価を行う。本実施形態では、電流値Ｖｈ／Ｒｇと充放電電流値Ｉｃｄとの差が、所定の範囲内（例えば、３０ｍＡ以内）であればＯＫと評価する。一方、範囲外であれば不良と評価する。
【００４５】
その後、ステップＳ４８では、評価用治具１０から、正極ケーブルＣｃｐ、負極ケーブルＣｃｎ、正極電圧プローブＰｖｐ１〜Ｐｖｐｎ、及び負極電圧プローブＰｖｎ１〜Ｐｖｎｎを取り外し、充放電を終了した評価用治具１０を所定処理位置から排出し、メインルーチンに戻る。
【００４６】
ステップＳ５では、ステップＳ４６，Ｓ４７で行った電圧検知部ＡＤ１〜ＡＤｎ及び電流検知部ＣＤｄの評価が、いずれもＯＫであったか否かを判断する。ここでＹｅｓ、即ち、電流検知部ＣＤｄ及びｎ個の電圧検知部ＡＤ１〜ＡＤｎの評価が、いずれもＯＫであった場合には、ステップＳ１に戻る。操作者が、新たな電池モジュールＢＭあるいは評価用治具１０を所定位置に配置すると、直列型充放電装置ＣＤは、再び、ステップＳ１以降の処理を繰り返す。
【００４７】
一方、電流検知部ＣＤｄ及びｎ個の電圧検知部ＡＤ１〜ＡＤｎの評価の１つ以上がＮＧであった場合には、ステップＳ６に進み、警告を表示して、直列型充放電装置ＣＤにおける充放電の処理を停止する。充放電電流Ｉｃｄあるいは端子間電圧Ｖｔ１〜Ｖｔｎの少なくとも１つが、適切に検知できていないため、校正等の調整を行う必要があるからである。
【００４８】
なお、本実施形態では、上述のステップＳ４３が、評価システム１００において、電圧検知部ＡＤ１等で端子間電圧値Ｖｔ１等をそれぞれ取得する第１取得部に相当する。ステップＳ４４が、高精度電圧計ＤＭの検知した高精度電圧値Ｖｈを取得する第２取得部に相当する。また、ステップＳ４６が、高精度電圧値Ｖｈと端子間電圧値Ｖｔ１等とから、ｎ個の電圧検知部ＡＤ１等を評価する第１評価部に相当する。さらに、ステップＳ４７が、高精度電圧値Ｖｈを抵抗値Ｒｇで除した高精度電流値Ｖｈ／Ｒｇと充放電電流値Ｉｃｄとから、電流検知部ＣＤｄを評価する第２評価部に相当する。
【００４９】
以上で説明したように、本実施形態の評価用治具１０は、簡単な構成を有しながら、直列型充放電装置ＣＤの各々の電圧検知部ＡＤ１等や電流検知部ＣＤｄの評価を容易に行えるようにできる。
【００５０】
また、評価用治具１０及び高精度電圧検知部ＤＭを備える評価用装置２０は、これを直列型充放電装置ＣＤに接続することで、この直列型充放電装置ＣＤの各電圧検知部ＡＤ１等及び電流検知部ＣＤｄの評価を容易に行うことができる。
【００５１】
このように、直列型充放電装置ＣＤに評価用治具１０及び高精度電圧検知部ＤＭを接続したこの評価システム１００では、簡単な構成の評価用治具と高精度電圧計とを用いながらも、直列型充放電装置ＣＤの電圧検知部ＡＤ１等及び電流検知部ＣＤｄの評価を容易に行うことができる。
【００５２】
（変形形態）
次いで、実施形態で示した評価用治具１０の変形形態に係る評価用治具１１０について、図７を参照して説明する。なお、電池モジュールＢＭや直列型充放電装置ＣＤは、実施形態と同一である。また、評価用治具１１０は、実施形態の評価用治具１０とは、疑似総正極端子１と疑似総負極端子２との間を接続する抵抗器１０７の配置、及び、正極バスバ１０５及び負極バスバ１０６の形態が異なり、他は同様であるので、異なる点のみ説明する。
【００５３】
実施形態の評価用治具１０では、抵抗器７を負極バスバ６の外側（図中、右側）に配置し、抵抗器７の正側端７ｐｔと正極バスバ５とを正極導通路８ｐで、負側端７ｎｔと負極バスバ６とを負極導通路８ｎで接続した。
これに対し、本変形形態の評価用治具１１０では、抵抗器１０７を正極バスバ１０５と負極バスバ１０６の間に配置し、抵抗器１０７の正側端１０７ｐｔを正極バスバ１０５から内側に突出する抵抗接続部１０５ｃに直接接続した。また、抵抗器１０７の負側端１０７ｎｔを負極バスバ１０６から内側に突出する抵抗接続部１０６ｃに直接接続した。
【００５４】
この評価用治具１１０を用いても、前述の実施形態の評価用治具１０と同様に、直列型充放電装置ＣＤの電流検知部ＣＤｄ及びｎ個の電圧検知部ＡＤ１〜ＡＤｎの評価を行うことができる。
【００５５】
以上において、本発明を実施形態及び変形形態に即して説明したが、本発明は上述の実施形態等に限定されるものではなく、その要旨を逸脱しない範囲で、適宜変更して適用できることは言うまでもない。
上述した実施形態では、電池モジュールＢＭとして、電池Ｂ１等が互いに接続されていないものを示し、直列型充放電装置ＣＤの直列接続具Ｃｎ１等で各電池Ｂ１等を直列に接続した。
しかし、タイバーなどを用いて、各電池Ｂ１等が既に直列に接続された電池モジュールを用いる直列型充放電装置について、本発明の評価用治具を適用することもできる。なお、この場合には、直列接続具Ｃｎ１等は不要となる。
【符号の説明】
【００５６】
Ｂ１，Ｂ２，Ｂ３，…，Ｂｎ  電池（二次電池）
Ｂｐｉ１，Ｂｐｉ２，Ｂｐｉ３，…，Ｂｐｉｎ  （電池の）正極電流端子
Ｂｐｖ１，Ｂｐｖ２，Ｂｐｖ３，…，Ｂｐｖｎ  （電池の）正極電圧端子
Ｂｎｉ１，Ｂｎｉ２，Ｂｎｉ３，…，Ｂｎｉｎ  （電池の）負極電流端子
Ｂｎｖ１，Ｂｎｖ２，Ｂｎｖ３，…，Ｂｎｖｎ  （電池の）負極電圧端子
Ｖｔ１，Ｖｔ２，Ｖｔ３，…，Ｖｔｎ  （電池の）端子間電圧
Ｂｐｉ１  総正極端子
Ｂｎｉｎ  総負極端子
ＢＭ  電池モジュール（二次電池群）
ＤＭ  高精度電圧計（高精度電圧検知部）
Ｖｈ  高精度電圧値
ＣＤ  直列型充放電装置
ＣＤｐ  電源部
ＣＤｄ  電流検知部
Ｉｃｄ  充放電電流
ＡＤ１，ＡＤ２，ＡＤ３，…，ＡＤｎ  電圧検知部
Ｐｖｐ１，Ｐｖｐ２，Ｐｖｐ３，Ｐｖｐｎ  正極電圧プローブ
Ｐｖｎ１，Ｐｖｎ２，Ｐｖｎ３，Ｐｖｎｎ  負極電圧プローブ
Ｃｃｐ  正極ケーブル（正極電流接続子）
Ｃｃｎ  負極ケーブル（負極電流接続子）
１００  評価システム
２０  評価用装置
１０，１１０  評価用治具
１  疑似総正極端子
２  疑似総負極端子
３１，３２，３３，３ｎ  疑似正極電圧端子
４１，４２，４３，４ｎ  疑似負極電圧端子
５，１０５  正極バスバ
６，１０６  負極バスバ
７  抵抗器
Ｒｇ  （抵抗器の）抵抗
７ｐｔ，１０７ｐｔ  （抵抗器の）正側端
７ｎｔ，１０７ｎｔ  （抵抗器の）負側端
７ｐｌ，１０７ｐｌ  （抵抗器の）正側接続線
７ｎｌ，１０７ｎｌ  （抵抗器の）負側接続線
Ｖｒ  （抵抗器の）端子間電圧
Ｓ４３  第１取得部
Ｓ４５  第２取得部
Ｓ４６  第１評価部
Ｓ４７  第２評価部
【図１】
2017201856.tif 000003
【図２】
2017201856.tif 000004
【図３】
2017201856.tif 000005
【図４】
2017201856.tif 000006
【図５】
2017201856.tif 000007
【図６】
2017201856.tif 000008
【図７】
2017201856.tif 000009